【誤訳訂正書】
【提出日】平成25年10月28日(2013.10.28)
【誤訳訂正１】
【訂正対象書類名】明細書
【訂正対象項目名】０００７
【訂正方法】変更
【訂正の内容】
【０００７】
上記のような目的を達成するために、本発明の一態様によれば、無線通信ネットワークのための媒体アクセス制御(ＭＡＣ)スーパーフレームフォーマットであって、無線通信ネットワーク中のデバイスを同期化し、ＭＡＣスーパーフレームの構成を定義するためのビーコン情報を含むビーコンフレームと、ビーコンフレームの次に位置し、一つ以上のデバイスにリソースを割り当てるデバイス特定情報及び/又はデバイスにネットワーク構成パラメータを提供するネットワーク特定情報を有する少なくとも一つのマルチノード接続フレームとを含み、ビーコン情報は、スーパーフレーム構成情報と同期情報を含む。
【誤訳訂正２】
【訂正対象書類名】明細書
【訂正対象項目名】００２１
【訂正方法】変更
【訂正の内容】
【００２１】
また、マルチノード接続割り当てフレーム１０８は、マルチノード接続割り当てフレーム１０８が割り当て区間の終了２０２で送信される場合、コンテンション区間フィールドの長さ、アクティブ区間フィールドの長さ、及びグループ受信確認情報エレメントを含むことができる。これは、ＣＦＰ１０６の長さがビーコンフレーム１０２に定義されていない場合に該当するケースである。
【誤訳訂正３】
【訂正対象書類名】特許請求の範囲
【訂正対象項目名】全文
【訂正方法】変更
【訂正の内容】
【特許請求の範囲】
【請求項１】
無線通信ネットワークのための媒体アクセス制御(Medium Access Control: ＭＡＣ)スーパーフレームであって、
前記無線通信ネットワーク内の少なくとも一つのデバイスの同期化のための同期情報とＭＡＣスーパーフレームの構成を示すスーパーフレーム構成情報が含まれたビーコン情報を含むビーコンフレームと、
前記ビーコンフレームの次に位置し、前記少なくとも一つのデバイスに割り当てられたリソースに対する情報を含むデバイス特定情報及び前記無線通信ネットワークの構成情報を含むネットワーク特定情報を含む少なくとも一つのマルチノード接続フレームと、を含み、
前記ビーコンフレームは、前記ＭＡＣスーパーフレームに前記少なくとも一つのマルチノード接続フレームが含まれるか否かを示す情報、前記少なくとも一つのマルチノード接続フレームの位置情報及び前記少なとも一つのマルチノード接続フレームに含まれたコンテンツの特性情報を含むことを特徴とするＭＡＣスーパーフレーム。
【請求項２】
前記ビーコンフレームの次に位置する少なくとも一つのコンテンションアクセス区間と、
前記少なくとも一つのコンテンションアクセス区間の次に位置し、少なくとも一つの非割り当てタイムスロットを含む少なくとも一つのコンテンションフリー区間をさらに含むことを特徴とする請求項１に記載のＭＡＣスーパーフレーム。
【請求項３】
前記ビーコンフレームの次に位置し、少なくとも一つの非割り当てタイムスロットを含む少なくとも一つのコンテンションフリー区間と、
前記少なくとも一つのコンテンションフリー区間の次に位置する少なくとも一つの非アクティブ区間をさらに含むことを特徴とする請求項１に記載のＭＡＣスーパーフレーム。
【請求項４】
前記少なくとも一つのマルチノード接続フレームは、前記少なくとも一つの非割り当てタイムスロットに含まれることを特徴とする請求項２又は３に記載のＭＡＣスーパーフレーム。
【請求項５】
前記少なくとも一つのコンテンションフリー区間の次に位置する割り当て区間の終了パーツをさらに含み、
前記割り当て区間の終了パーツは、コンテンションアクセス区間の長さ情報、及び前記少なくとも一つのデバイスのアップリンク伝送に対する受信確認を示すグループ受信確認情報を含むことを特徴とする請求項２又は３に記載のＭＡＣスーパーフレーム。
【請求項６】
前記マルチノード接続フレームは前記割り当て区間の終了パーツに含まれることを特徴とする請求項５に記載のＭＡＣスーパーフレーム。
【請求項７】
前記デバイス特定情報は、前記少なくとも一つのデバイスに割り当てられたタイムスロット割り当て情報を含むことを特徴とする請求項１に記載のＭＡＣスーパーフレーム。
【請求項８】
前記ネットワーク特定情報は、フリータイムスロットの個数情報、前記フリータイムスロットの位置情報及び前記無線通信ネットワーク内のデバイスの個数情報を含むことを特徴とする請求項１に記載のＭＡＣスーパーフレーム。
【請求項９】
無線通信ネットワークにおいて制御器が媒体アクセス制御(Medium Access Control: ＭＡＣ)スーパーフレームを生成する方法であって、
前記制御器が、少なくとも一つのデバイスと通信を遂行するための前記無線通信ネットワークの構成が変更されたことを検出するステップと、
前記制御器が、前記無線通信ネットワークの構成が変更されたことを示すためにＭＡＣスーパーフレームを生成するステップと、を含み、
前記ＭＡＣスーパーフレームは、前記少なくとも一つのデバイスの同期化のための同期情報と前記ＭＡＣスーパーフレームの構成を示すスーパーフレーム構成情報が含まれたビーコン情報を含むビーコンフレームと、前記ビーコンフレームの次に位置し、前記少なくとも一つのデバイスに割り当てられたリソースに対する情報を含むデバイス情報及び前記変更された無線通信ネットワークの構成情報を含むネットワーク構成情報を含む少なくとも一つのマルチノード接続フレームとを含み、前記ビーコンフレームは、前記ＭＡＣスーパーフレームに前記少なくとも一つのマルチノード接続フレームが含まれるか否かを示す情報、前記少なくとも一つのマルチノード接続フレームの位置情報及び前記少なくとも一つのマルチノード接続フレームに含まれたコンテンツの特性情報を含むことを特徴とする方法。
【請求項１０】
前記ＭＡＣスーパーフレームは、
前記ビーコンフレームの次に位置する少なくとも一つのコンテンションアクセス区間と、
少なくとも一つの非割り当てタイムスロットを含む少なくとも一つのコンテンションフリー区間と、を含み、
前記少なくとも一つの非割り当てタイムスロットは、前記少なくとも一つのマルチノード接続フレームを含むことを特徴とする請求項９に記載の方法。
【請求項１１】
前記ＭＡＣスーパーフレームは、
前記ビーコンフレームの次に位置する少なくとも一つのコンテンションアクセス区間と、
前記少なくとも一つのコンテンションアクセス区間の次に位置する少なくとも一つのコンテンションフリー区間と、
前記少なくとも一つのコンテンションフリー区間の次に位置する割り当て区間の終了パーツと、を含み、
前記割り当て区間の終了パーツは、前記マルチノード接続フレーム、コンテンションアクセス区間の長さ情報、及び前記少なくとも一つのデバイスのアップリンク伝送に対する受信確認を示すグループ受信確認情報を含むことを特徴とする請求項９に記載の方法。
【請求項１２】
無線通信ネットワークにおいてデバイスが媒体アクセス制御(Medium Access Control: ＭＡＣ)スーパーフレームを受信する方法であって、
前記デバイスが前記制御器にマルチノード接続割り当てを要求する接続要求を送信するステップと、
前記デバイスが前記接続要求に対する応答で受信確認フレームを受信するステップと、
前記受信確認フレームを成功的に受信した後、前記デバイスが電力節約モードに進入するステップと、
前記デバイスがＭＡＣスーパーフレームに含まれたビーコンフレーム及び前記ビーコンフレームの次に位置する少なくとも一つのマルチノード接続フレームを受信するステップと、を含み、
前記ビーコンフレームは、前記デバイスの同期化のための同期情報と前記ＭＡＣスーパーフレームの構成を示すスーパーフレーム構成情報が含まれたビーコン情報を含み、
前記少なくとも一つのマルチノード接続フレームは、前記デバイスに割り当てられたリソースに対する情報を含むデバイス特定情報と無線通信ネットワークの構成情報を含むネットワーク構成情報を含み、前記ビーコンフレームは、前記ＭＡＣスーパーフレームに前記少なくとも一つのマルチノード接続フレームが含まれるか否かを示す情報、前記少なくとも一つのマルチノード接続フレームの位置情報及び前記少なくとも一つのマルチノード接続フレームに含まれたコンテンツの特性情報を含むことを特徴とする方法。
【請求項１３】
前記ＭＡＣスーパーフレームは、
前記ビーコンフレームの次に位置する少なくとも一つのコンテンションアクセス区間と、
少なくとも一つの非割り当てタイムスロットを含む少なくとも一つのコンテンションフリー区間と、を含み、
前記少なくとも一つの非割り当てタイムスロットは、前記少なくとも一つのマルチノード接続フレームを含むことを特徴とする請求項１２に記載の方法。
【請求項１４】
前記ＭＡＣスーパーフレームは、
前記ビーコンフレームの次に位置する少なくとも一つのコンテンションアクセス区間と、
前記少なくとも一つのコンテンションアクセス区間の次に位置する少なくとも一つのコンテンションフリー区間と、
前記少なくとも一つのコンテンションフリー区間の次に位置する割り当て区間の終了パーツと、を含み、
前記割り当て区間の終了パーツは、前記マルチノード接続フレーム、コンテンションアクセス区間の長さ情報、及び前記デバイスのアップリンク伝送に対する受信確認を示すグループ受信確認情報エレメントを含むことを特徴とする請求項１２に記載の方法。
【請求項１５】
前記デバイス特定情報は、前記デバイスに割り当てられたタイムスロット割り当て情報を含むことを特徴とする請求項１２に記載の方法。
【請求項１６】
前記ネットワーク特定情報は、フリータイムスロットの個数情報、前記フリータイムスロットの位置情報及び前記無線通信ネットワーク内のデバイスの個数情報を含むことを特徴とする請求項１２に記載の方法。
【請求項１７】
無線通信ネットワークにおいて制御器が媒体アクセス制御(Medium Access Control: ＭＡＣ)スーパーフレームを送信する方法であって、
前記制御器が、少なくとも一つのデバイスらからマルチノード接続割り当てを要求する接続要求を受信するステップと、
前記制御器が、前記受信された接続要求に基づいて前記少なくとも一つのデバイスと通信するために、ビーコンフレームと、前記ビーコンフレームの次に位置する少なくとも一つのマルチノード接続フレームを含むＭＡＣスーパーフレームを生成するステップと、
前記制御器が前記ＭＡＣスーパーフレームを前記少なくとも一つのデバイスに送信するステップと、を含み、
前記ビーコンフレームは、前記少なくとも一つのデバイスの同期化のための同期情報と前記ＭＡＣスーパーフレームの構成を示すスーパーフレーム構成情報が含まれたビーコン情報を含み、
前記少なくとも一つのマルチノード接続フレームは、前記少なくとも一つのデバイスに割り当てられたリソースに対する情報を含むデバイス特定情報と前記無線通信ネットワークの構成情報を含むネットワーク特定情報を含み、前記ビーコンフレームは、前記ＭＡＣスーパーフレームに前記少なくとも一つのマルチノード接続フレームが含まれるか否かを示す情報、前記少なくとも一つのマルチノード接続フレームの位置情報及び前記少なくとも一つのマルチノード接続フレームに含まれたコンテンツの特性情報を含むことを特徴とする方法。
【請求項１８】
前記ＭＡＣスーパーフレームは、
前記ビーコンフレームの次に位置する少なくとも一つのコンテンションアクセス区間と、
少なくとも一つの非割り当てタイムスロットを含む少なくとも一つのコンテンションフリー区間と、を含み、
前記少なくとも一つの非割り当てタイムスロットは、前記少なくとも一つのマルチノード接続フレームを含むことを特徴とする請求項１７に記載の方法。
【請求項１９】
前記ＭＡＣスーパーフレームは、
前記ビーコンフレームの次に位置する少なくとも一つのコンテンションアクセス区間と、
前記少なくとも一つのコンテンションアクセス区間の次に位置する少なくとも一つのコンテンションフリー区間と、
前記少なくとも一つのコンテンションフリー区間の次に位置する割り当て区間の終了パーツと、を含み、
前記割り当て区間の終了パーツは、前記マルチノード接続フレーム、コンテンションアクセス区間の長さ情報、及び前記少なくとも一つのデバイスのアップリンク伝送に対する受信確認を示すグループ受信確認情報を含むことを特徴とする請求項１７に記載の方法。
【請求項２０】
前記デバイス特定情報は、前記少なくとも一つのデバイスに割り当てられたタイムスロット割り当て情報を含むことを特徴とする請求項１７に記載の方法。
【請求項２１】
前記ネットワーク特定情報は、フリータイムスロットの個数情報、前記フリータイムスロットの位置情報、前記無線ネットワーク内のデバイスの個数情報を含むことを特徴とする請求項１７に記載の方法。
【請求項２２】
無線通信 ネットワーク内の少なくとも一つのデバイスの同期化のための同期情報と媒体アクセス制御(Medium Access Control: ＭＡＣ)スーパーフレームの構成を示すスーパーフレーム構成情報が含まれたビーコンフレームと、前記ビーコンフレームの次に位置し、前記少なくとも一つのデバイスに割り当てられたリソースに対する情報を含むデバイス特定情報及び前記無線通信ネットワークの構成情報を含む少なくとも一つのマルチノード接続フレームを生成するプロセッサと、
前記プロセッサの制御によって、前記ＭＡＣスーパーフレームで前記ビーコンフレームと、前記少なくとも一つのマルチノード接続フレームに基づいて前記少なくとも一つのデバイスと通信するために使用される命令を一時的に格納するように構成されるメモリと、
を含み、前記ビーコンフレームは、前記ＭＡＣスーパーフレームに前記少なくとも一つのマルチノード接続フレームが含まれるか否かを示す情報、前記少なくとも一つのマルチノード接続フレームの位置情報及び前記少なくとも一つのマルチノード接続フレームに含まれたコンテンツの特性情報を含むことを特徴とする制御器。
【請求項２３】
前記ＭＡＣスーパーフレームは、
前記ビーコンフレームの次に位置する少なくとも一つのコンテンションアクセス区間と、
前記少なくとも一つのコンテンションアクセス区間の次に位置し、少なくとも一つの非割り当てタイムスロットを含む少なくとも一つのコンテンションフリー区間と、を含み、
少なくとも一つの非割り当てタイムスロットは、前記少なくとも一つのマルチノード接続フレームを含むことを特徴とする請求項２２に記載の制御器。
【請求項２４】
前記ＭＡＣスーパーフレームは、
前記ビーコンフレームの次に位置する少なくとも一つのコンテンションアクセス区間と、
前記少なくとも一つのコンテンションアクセス区間の次に位置する少なくとも一つのコンテンションフリー区間と、
前記少なくとも一つのコンテンションフリー区間の次に位置する割り当て区間の終了パーツと、を含み、
前記割り当て区間の終了パーツは、前記マルチノード接続フレーム、コンテンションアクセス区間の長さ情報、及び前記少なくとも一つのデバイスのアップリンク伝送に対する受信確認を示すグループ受信確認情報を含むことを特徴とする請求項２２に記載の制御器。